【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群よりなる前方レンズ群と、複数のレンズ群よりなる後続レンズ群からなり、前記第２レンズ群は光路を折り曲げる反射部材を有し、
前記第２レンズ群はズーミングのためには不動であり、ズーミングに際して、少なくとも前記第１レンズ群と前記後続レンズ群のうちの２以上のレンズ群が移動することによって隣り合うレンズ群の間隔が変化し、前記反射部材を含む反射ユニットは、沈胴収納時に前記前方レンズ群の光軸に対して垂直方向に移動し、
前記反射ユニットの移動によって生じた空間に前記前方レンズ群の少なくとも一部が沈胴収納されるズームレンズであって、
前記第２レンズ群の焦点距離をｆ２、望遠端における全系の焦点距離をｆｔとするとき、
１２．０＜ｆｔ／｜ｆ２｜＜３０．０
なる条件式を満足することを特徴とするズームレンズ。
【請求項２】
広角端から望遠端へのズーミングに際しての前記第１レンズ群の移動量をＭ１、前記反射部材の光軸方向の長さをＬｐ（ただし、反射部材がミラーの場合、Ｌｐ＝（反射面長手長）／√２とする。）とするとき、
１．５０＜｜Ｍ１｜／Ｌｐ＜２．００
なる条件式を満足することを特徴とする請求項１に記載のズームレンズ。
【請求項３】
前記後続レンズ群のうち、最も像側に配置される最終レンズ群は、正の屈折力を有し、前記最終レンズ群の焦点距離をｆｒとするとき、
０．１００＜ｆｒ／ｆｔ＜０．６００
なる条件式を満足することを特徴とする請求項１又は２に記載のズームレンズ。
【請求項４】
広角端から望遠端へのズーミングに際しての前記第２レンズ群と前記後続レンズ群の変倍比を各々Ｚ２、Ｚｒとするとき、
１．００＜Ｚ２／Ｚｒ＜３．００
なる条件式を満足することを特徴とする請求項１乃至３のいずれか１項に記載のズームレンズ。
【請求項５】
前記第２レンズ群は２以上の負レンズを有し、前記第２レンズ群が有する負レンズの材料の平均屈折率をＮ２ｎとするとき、
１．８５＜Ｎ２ｎ＜２．００
なる条件式を満足することを特徴とする請求項１乃至４のいずれか１項に記載のズームレンズ。
【請求項６】
前記反射部材は、硝子材料または樹脂材料で構成され、内面反射を利用したプリズムであることを特徴とする請求項１乃至５のいずれか１項に記載のズームレンズ。
【請求項７】
前記反射部材の材料の屈折率をＮｐ、光軸方向の長さをＬｐとするとき、
０．０２０＜（Ｌｐ／Ｎｐ）／ｆｔ＜０．１２０
なる条件式を満足することを特徴とする請求項６に記載のズームレンズ。
【請求項８】
前記後続レンズ群のうち、最も像側に配置される最終レンズ群には、レンズ周辺部に切り欠きを有するレンズが含まれていることを特徴とする請求項１乃至７のいずれか１項に記載のズームレンズ。
【請求項９】
前記後続レンズ群の１つのレンズ群は、物体側より像側へ順に、第１部分群と、光軸に対して垂直方向の成分を持つように移動して像位置を移動させる第２部分群よりなることを特徴とする請求項１乃至８のいずれか１項に記載のズームレンズ。
【請求項１０】
前記反射ユニットは、沈胴収納時に像面側に移動することを特徴とする請求項１乃至９のいずれか１項に記載のズームレンズ。
【請求項１１】
前記後続レンズ群は、物体側から像側へ順に、正の屈折力の第３レンズ群、負の屈折力の第４レンズ群、正の屈折力の第５レンズ群より構成されることを特徴とする請求項１乃至１０のいずれか１項のズームレンズ。
【請求項１２】
前記後続レンズ群は、物体側から像側へ順に、負の屈折力の第３レンズ群、正の屈折力の第４レンズ群、負の屈折力の第５レンズ群、正の屈折力の第６レンズ群より構成されることを特徴とする請求項１乃至１０のいずれか１項のズームレンズ。
【請求項１３】
前記後続レンズ群は、物体側から像側へ順に、正の屈折力の第３レンズ群、正の屈折力の第４レンズ群より構成されることを特徴とする請求項１乃至１０のいずれか１項のズームレンズ。
【請求項１４】
請求項１乃至１３のいずれか１項に記載のズームレンズと、該ズームレンズによって形成された像を受光する固体撮像素子を有することを特徴とする撮像装置。
【手続補正２】
【補正対象書類名】明細書
【補正対象項目名】０００９
【補正方法】変更
【補正の内容】
【０００９】
本発明のズームレンズは、物体側から像側へ順に、正の屈折力の第１レンズ群、負の屈折力の第２レンズ群よりなる前方レンズ群と、複数のレンズ群よりなる後続レンズ群からなり、前記第２レンズ群は光路を折り曲げる反射部材を有し、
前記第２レンズ群はズーミングのためには不動であり、ズーミングに際して、少なくとも前記第１レンズ群と前記後続レンズ群のうちの２以上のレンズ群が移動することによって隣り合うレンズ群の間隔が変化し、前記反射部材を含む反射ユニットは、沈胴収納時に前記前方レンズ群の光軸に対して垂直方向に移動し、
前記反射ユニットの移動によって生じた空間に前記前方レンズ群の少なくとも一部が沈胴収納されるズームレンズであって、
前記第２レンズ群の焦点距離をｆ２、望遠端における全系の焦点距離をｆｔとするとき、
１２．０＜ｆｔ／｜ｆ２｜＜３０．０
なる条件式を満足することを特徴としている。
【手続補正３】
【補正対象書類名】明細書
【補正対象項目名】００１３
【補正方法】変更
【補正の内容】
【００１３】
第２レンズ群はズーミングのためには不動である。ズーミングに際して少なくとも第１レンズ群と後続レンズ群のうちの２以上のレンズ群が移動することによって隣り合うレンズ群の間隔が変化する。反射部材を含む反射ユニットは、沈胴収納時に前方レンズ群の光軸に対して垂直方向（９０度±１０度以内）に移動する。そして反射ユニットの移動によって生じた空間に前方レンズ群の少なくとも一部が沈胴収納される構成よりなっている。
【手続補正４】
【補正対象書類名】明細書
【補正対象項目名】００４２
【補正方法】変更
【補正の内容】
【００４２】
後続レンズ群ＬＲの１つのレンズ群は物体側より像側へ順に第１部分群と、光軸に対して垂直方向の成分を持つように移動して、像位置を移動させる第２部分群より構成するのが良い。すなわち、第２部分群で手ブレ補正するのが良い。第２レンズ群Ｌ２中に反射部材ＵＲを有するズームレンズでは、広角端から望遠端へのズーミング時に際して第３レンズ群Ｌ３などが反射部材ＵＲ側に接近する構成をとることがある。
【手続補正５】
【補正対象書類名】明細書
【補正対象項目名】００４３
【補正方法】変更
【補正の内容】
【００４３】
この場合、後続レンズ群ＬＲのいずれかを部分レンズ群に分けて、その像側のレンズ群（部分群）を光軸に対して垂直方向の成分を持つように移動することで、望遠端において折り曲げ光路がレンズ群に干渉することなく、手ブレ補正が容易となる。反射部材ＵＲを含む反射ユニットＵＲｂは撮影時から沈胴収納時に像面側方向に移動するのが良い。
【手続補正６】
【補正対象書類名】明細書
【補正対象項目名】００８３
【補正方法】変更
【補正の内容】
【００８３】
非球面データ
第7面
K =-6.21059e-002  A 4= 6.07506e-006  A 6=-3.47030e-006  A 8= 2.38225e-008  A10= 6.59620e-009  
第16面
K =-4.02932e-001  A 4=-9.69640e-005  A 6= 1.87467e-007  A 8=-9.36504e-009  
第17面
K = 4.81084e+000  A 4= 1.42165e-004  
第26面
K = 0.00000e+000  A 4=-1.03025e-004  A 6=-3.33041e-007  A 8=-1.56813e-008  
各種データ
ズーム比     15.03 
広角     中間     望遠
焦点距離       5.18    24.84    77.83  
Fナンバー      3.07     5.10     6.75  
半画角（度）   33.66     7.91     2.54  
像高           3.45     3.45     3.45  
レンズ全長    73.49    82.38    88.34  
BF             3.59     3.59     3.59 
d 5            0.68     9.55    15.59  
d15           15.51     3.12     0.30  
d23            0.83    13.21    16.02  
d25            3.71     5.64    10.85  
d27            7.92     6.02     0.75  
入射瞳位置    15.95    46.95   120.92  
射出瞳位置   -38.46   1953.34    45.20  
前側主点位置  20.49    72.10   344.33  
後側主点位置  -1.58   -21.25   -74.25  
ズームレンズ群データ
群  始面    焦点距離  レンズ構成長  前側主点位置  後側主点位置
1    1      29.39         8.23         2.32         -2.88
2    6      -4.54        17.02         1.88         -7.33
3   16      11.98        10.86         2.74         -6.93
4   24     -11.53         0.70         0.34         -0.06
5   26      13.89         3.64         0.97         -1.58
GB   28       ∞           0.80         0.26         -0.26
単レンズデータ
レンズ  始面  焦点距離
1       1    -54.30
2       2     41.22
3       4     33.58
4       6     -7.01
5       8     -9.89
6      10     10.51
7      12      0.00
8      14    -30.13
9      16     12.41
10      19    -24.96
11      21      9.89
12      22    -20.12
13      24    -11.53
14      26     13.89
15      28      0.00
【手続補正７】
【補正対象書類名】明細書
【補正対象項目名】００８５
【補正方法】変更
【補正の内容】
【００８５】
非球面データ
第7面
K = 1.42262e-001  A 4=-5.30387e-005  A 6=-3.49821e-006  A 8=-4.89416e-008  A10= 1.11079e-008  
第14面
K =-1.73657e-001  A 4=-4.02661e-005  A 6=-1.12563e-006  A 8= 1.77782e-008  
第15面
K = 1.76223e+001  A 4= 7.94322e-005  
第24面
K = 0.00000e+000  A 4=-1.62823e-004  A 6= 5.73220e-008  A 8=-1.50667e-008  
各種データ
ズーム比     12.75 
広角     中間     望遠
焦点距離       5.20    23.36    66.35  
Fナンバー      3.07     4.94     6.35  
半画角（度）   33.54     8.40     2.98  
像高           3.45     3.45     3.45  
レンズ全長    73.54    82.61    88.34 
BF             4.00     4.00     4.00  
d 5            0.50     9.57    15.41  
d13           17.05     3.43     0.30  
d21            0.83    14.44    17.57  
d23            2.69     3.81     9.10  
d25            7.63     6.50     1.14  
入射瞳位置    15.78    46.85   112.92  
射出瞳位置   -34.42  -672.93    46.50  
前側主点位置  20.28    69.41   282.82  
後側主点位置  -1.21   -19.34   -62.36  
ズームレンズ群データ
群  始面    焦点距離  レンズ構成長  前側主点位置  後側主点位置
1    1      29.81         8.13         2.17         -3.00
2    6      -5.49        15.55         1.21         -9.06
3   14      14.15        11.61         2.53         -7.63
4   22     -14.82         0.70         0.29         -0.10
5   24      14.03         4.04         1.09         -1.77
GB   26       ∞           0.80         0.26         -0.26
単レンズデータ
レンズ  始面  焦点距離
1       1    -64.62
2       2     42.26
3       4     37.62
4       6     -8.73
5       8     -6.46
6      10     11.15
7      12      0.00
8      14     15.07
9      17    -28.70
10      19     11.00
11      20    -21.45
12      22    -14.82
13      24     14.03
14      26      0.00
【手続補正８】
【補正対象書類名】明細書
【補正対象項目名】００８７
【補正方法】変更
【補正の内容】
【００８７】
非球面データ
第7面
K = 4.53349e-001  A 4=-2.99311e-005  A 6=-5.26233e-005  A 8= 4.33313e-006  A10=-1.75089e-007  
第16面
K =-3.33003e-001  A 4=-7.12947e-005  A 6=-2.40686e-006  A 8= 4.24212e-008  
第17面
K = 8.94410e+002  A 4= 4.17550e-005  
第24面
K = 0.00000e+000  A 4= 3.66130e-005  A 6= 2.98180e-007  A 8=-4.38126e-009  
各種データ
ズーム比     13.00 
広角     中間     望遠
焦点距離       5.28    24.95    68.70  
Fナンバー      3.07     4.42     5.52  
半画角（度）   33.14     7.87     2.88  
像高           3.45     3.45     3.45  
レンズ全長    73.37    83.40    88.22
BF             2.17     2.17     2.17 
d 5            0.61    10.75    15.69  
d15           18.81     3.80     0.30  
d23            8.78    17.15    29.99  
d25            5.10    11.63     2.18    
入射瞳位置    16.42    57.36   129.38  
射出瞳位置   -32.61   -74.69  -530.59  
前側主点位置  20.90    74.21   189.22  
後側主点位置  -3.12   -22.78   -66.54  
ズームレンズ群データ
群  始面    焦点距離  レンズ構成長  前側主点位置  後側主点位置
1    1      29.23         8.90         2.27         -3.36
2    6      -5.56        15.24         0.85         -9.11
3   16      15.87        10.84         1.34         -7.97
4   24      39.98         2.14         1.02         -0.43
GB   26       ∞           0.80         0.26         -0.26
単レンズデータ
レンズ  始面  焦点距離
1       1    -63.67
2       2     42.11
3       4     35.90
4       6     -6.80
5       8     -9.32
6      10     12.70
7      12      0.00
8      16     13.90
9      19    -17.63
10      21     10.80
11      22    -21.23
12      24     39.98
13      26      0.00
【手続補正９】
【補正対象書類名】明細書
【補正対象項目名】００８９
【補正方法】変更
【補正の内容】
【００８９】
非球面データ
第7面
K = 3.07667e-001  A 4=-1.86268e-004  A 6=-1.07618e-005  A 8= 1.68517e-007  A10=-1.24730e-008  
第16面
K =-4.59926e-001  A 4=-1.01592e-004  A 6=-7.23915e-007  A 8=-2.32649e-008  
第17面
K = 7.16199e+000  A 4= 1.91526e-004  
第26面
K = 0.00000e+000  A 4=-1.27346e-004  A 6=-2.39191e-007  A 8=-4.25156e-009  
各種データ
ズーム比     15.03 
広角     中間     望遠
焦点距離       5.18    22.15    77.84  
Fナンバー      3.07     4.72     6.58  
半画角（度）   33.66     8.85     2.54  
像高           3.45     3.45     3.45  
レンズ全長    72.84    81.26    87.73
BF             1.79     1.79     1.79 
d 5            0.54     8.93    15.47  
d13            1.07     2.00     0.80  
d15           14.41     1.72     0.30  
d23            0.87    12.62    15.23  
d25            7.90     3.75    12.20  
d27            6.89    11.07     2.55  
入射瞳位置    15.83    44.79   129.15  
射出瞳位置  -216.46  -169.35    39.11  
前側主点位置  20.88    64.07   369.33  
後側主点位置  -3.39   -20.36   -76.05  
ズームレンズ群データ
群  始面    焦点距離  レンズ構成長  前側主点位置  後側主点位置
1    1      28.89         8.57         2.26         -3.11
2    6      -6.23        14.76         0.73         -8.88
3   14     -40.75         0.60        -0.61         -0.97
4   16      12.08        10.60         1.77         -7.24
5   24     -16.43         0.70         0.23         -0.16
6   26      14.87         3.37         0.92         -1.43
GB   28       ∞           0.80         0.26         -0.26
単レンズデータ
レンズ  始面  焦点距離
1       1    -52.37
2       2     40.72
3       4     32.67
4       6     -7.58
5       8     -7.16
6      10      9.54
7      12      0.00
8      14    -40.75
9      16     11.82
10      19    -25.54
11      21     12.42
12      22    -25.61
13      24    -16.43
14      26     14.87
15      28      0.00
【手続補正１０】
【補正対象書類名】明細書
【補正対象項目名】００９１
【補正方法】変更
【補正の内容】
【００９１】
非球面データ
第7面
K = 1.30253e-001  A 4=-1.01931e-004  A 6=-8.32531e-006  A 8= 2.65338e-007  A10=-5.76512e-009  
第15面
K =-4.53654e-001  A 4=-1.16135e-004  A 6=-7.49732e-008  A 8=-1.33482e-008  
第16面
K = 4.34951e+000  A 4= 1.13151e-004  
第25面
K = 0.00000e+000  A 4=-1.02524e-004  A 6=-8.09230e-007  A 8=-2.07183e-009  
各種データ
ズーム比     13.00 
広角     中間     望遠
焦点距離       5.18    22.00    67.34  
Fナンバー      3.07     5.03     6.53  
半画角（度）   33.66     8.91     2.93  
像高           3.45     3.45     3.45  
レンズ全長    73.53    82.05    88.34  
BF             2.80     2.80     2.80 
d 5            0.62     9.17    15.51  
d14           14.56     2.95     0.30  
d22            0.83    12.45    15.10  
d24            4.56     5.39    10.23  
d26            7.37     6.53     1.64  
入射瞳位置    17.10    47.41   126.81  
射出瞳位置   -45.80   1506.08    47.03  
前側主点位置  21.73    69.73   296.65  
後側主点位置  -2.38   -19.20   -64.55  
ズームレンズ群データ
群  始面    焦点距離  レンズ構成長  前側主点位置  後側主点位置
1    1      30.04         8.72         2.54         -3.00
2    6      -4.65        17.88         2.19        -10.22
3   15      12.51        10.77         0.86         -7.68
4   23     -13.41         0.70         0.33         -0.06
5   25      14.11         3.91         1.05         -1.71
GB   27       ∞           0.80         0.26         -0.26
単レンズデータ
レンズ  始面  焦点距離
1       1    -55.31
2       2     42.46
3       4     33.98
4       6     -7.71
5       8     -9.20
6      10     10.95
7      13    -37.87
8      15     11.48
9      18    -19.31
10      20     10.14
11      21    -17.00
12      23    -13.41
13      25     14.11
14      27      0.00